(57)【特許請求の範囲】
【請求項１】
画像を表示する表示面を有する表示部と、
可搬型の記録媒体が出し入れされる出し入れ口を有し、長手方向である前記出し入れ口の背面側に延びる記録媒体駆動装置と、
を備え、
前記記録媒体駆動装置は、前記表示部に対し、前記表示面に向かって見て左右方向に平行な軸周りに回転可能に接続され、前記出し入れ口が前記表示面の前方を向く第１の回転位置と、当該第１の回転位置よりも前記長手方向が前記表示面と平行に近い第２の回転位置との間で回転可能であり、
前記第１の回転位置と前記第２の回転位置との間で、前記記録媒体駆動装置の回転する範囲が、前記表示部の下端と上端との間に位置する位置に、前記軸が配置される、
ことを特徴とする表示装置。
【請求項２】
前記表示部は、前記記録媒体駆動装置が前記第２の回転位置に位置する際に前記記録媒体駆動装置を格納する格納領域を有することを特徴とする請求項１に記載の表示装置。
【請求項３】
前記第１の回転位置および前記第２の回転位置において、前記記録媒体駆動装置に記録媒体を出し入れすることが可能であることを特徴とする請求項１または２に記載の表示装置。
【請求項４】
設置する際に前記表示部を支持し、設置した状態で前記表示面に向かって見て前後方向に延びる奥行きを有するスタンドと、
前記軸を含み、前記スタンド及び前記記録媒体駆動装置を、前記表示部に接続する接続部とをさらに有することを特徴とする請求項１から３のいずれか１項に記載の表示装置。
【請求項５】
前記スタンドは、前記第１の回転位置では、前記スタンドの奥行き方向が前記表示面に垂直となり、前記第２の回転位置では、前記スタンドの奥行き方向が前記表示面に平行となることを特徴とする請求項４に記載の表示装置。
【請求項６】
前記スタンドは、前記第２の回転位置において前記表示部の後方に位置することを特徴とする請求項５に記載の表示装置。
【請求項７】
前記接続部は、前記スタンドを、前記第１の回転位置において前記表示面に向かって見て前後方向の前側に位置する第１の移動位置と、当該第１の移動位置よりも後ろ側に位置する第２の移動位置との間で移動可能に接続することを特徴とする請求項４から６のいずれか１項に記載の表示装置。
【請求項８】
前記軸は、前記表示部の下端と上端との間に位置することを特徴とする請求項１から７のいずれか１項に記載の表示装置。
【請求項９】
前記第２の回転位置において前記長手方向が前記表示面と平行であることを特徴とする請求項１から８のいずれか１項に記載の表示装置。
【請求項１０】
前記記録媒体駆動装置は、前記第２の回転位置において前記表示部の後方に位置することを特徴とする請求項１から９のいずれか１項に記載の表示装置。
【請求項１１】
前記スタンドが前記第２の回転位置にある場合、前記スタンドの奥行き方向の手前側の端部は、前記表示部の下端と略同じ又は前記表示部の下端よりも上方に位置することを特徴とする請求項５から７のいずれか１項に記載の表示装置。
【請求項１２】
設置する際に前記表示部を支持し、設置した状態で前記表示面に向かって見て前後方向に延びる奥行きを有するスタンドをさらに有し、
前記スタンドは、前記記録媒体駆動装置に対し、前記スタンドの奥行き方向に移動可能に接続され、前記記録媒体駆動装置とともに回転することを特徴とする請求項１から３のいずれか１項に記載の表示装置。
【請求項１３】
前記スタンドは、前記第１の回転位置において前記スタンドの奥行き方向の手前側の端部が前記表示部の前方に位置する第１の移動位置と、当該第１の移動位置よりも前記奥行き方向の奥側の第２の移動位置との間で、前記奥行き方向に移動可能であることを特徴とする請求項１２に記載の表示装置。
【請求項１４】
前記スタンドが前記第２の回転位置かつ前記第２の移動位置にある場合、前記スタンドの奥行き方向の手前側の端部は、前記表示部の下端と略同じ又は前記表示部の下端よりも上方に位置することを特徴とする請求項１３に記載の表示装置。
【請求項１５】
前記記録媒体駆動装置を保持し、前記表示部に対して前記軸周りに回転可能に接続される保持部材をさらに有し、
前記スタンドは、前記保持部材に対し、前記スタンドの奥行き方向に移動可能に接続されることを特徴とする請求項１２から１４のいずれか１項に記載の表示装置。
【請求項１６】
前記表示部には、前記記録媒体を挿入するための記録媒体挿入口が設けられ、
前記記録媒体駆動装置は、前記第１の回転位置において、前記出し入れ口と前記記録媒体挿入口とが対向するように配置されることを特徴とする請求項１から１５のいずれか１項に記載の表示装置。
【発明の詳細な説明】
【技術分野】
【０００１】
本発明は、表示部を支持するスタンドを備える表示装置に関する。
【背景技術】
【０００２】
液晶テレビや液晶モニタには、平板状の表示部を台上に垂直に配置するためのスタンドを備えるものがある。通常、スタンドは、表示部が前方または後方へ倒れることを防止するために、表示部より大きく前後に迫り出すように形成される。
【０００３】
このような表示装置の梱包方法としては、梱包サイズの小型化のために、表示部とスタンドとを切り離した状態で梱包する方法が知られている。例えば、特許文献１は、液晶テレビを、本体部、スタンド支柱、およびスタンドベースに分解して梱包することを開示している。
【０００４】
しかし、表示部にスタンドを取り付けるなどの組立作業は、使用者に負担を与える。そこで、使用者の負担を軽減しながら梱包の小型化を実現するために、スタンドを折り畳むことが可能な表示装置が提案されている。例えば、特許文献２は、表示部とスタンドとを回動可能に支持するヒンジ部を備え、スタンドを表示部の背面側へ９０度回動させて折り畳むことが可能な表示装置を提案している。また、特許文献３は、スタンドの中間にスタンド下部を前上方へ折り畳み可能に支持するヒンジ部を備えた薄型表示装置を提案している。
【先行技術文献】
【特許文献】
【０００５】
【特許文献１】特開２００４−１３１１００号公報
【特許文献２】特開２００７−２９３１５１号公報
【特許文献３】特開２００５−１４０８０７号公報
【発明の概要】
【発明が解決しようとする課題】
【０００６】
特許文献２および３に記載の表示装置は、スタンドを折り畳んだ状態において、ヒンジ部およびスタンドが表示部の下端よりも下方に大きくはみ出す構造となっている。このため、これらの表示装置では、梱包箱の上下方向のサイズが大きくなってしまい、梱包サイズの小型化が十分でない。
【０００７】
本発明は、梱包サイズを小さくすることができる表示装置を提供することを目的とする。
【課題を解決するための手段】
【０００９】
また、本発明に係る表示装置は、
画像を表示する表示面を有する表示部と、
可搬型の記録媒体が出し入れされる出し入れ口を有し、長手方向である前記出し入れ口の背面側に延びる記録媒体駆動装置と、
を備え、
前記記録媒体駆動装置は、前記表示部に対し、前記表示面に向かって見て左右方向に平行な軸周りに回転可能に接続され、前記出し入れ口が前記表示面の前方を向く第１の回転位置と、当該第１の回転位置よりも前記長手方向が前記表示面と平行に近い第２の回転位置との間で回転可能であり、
前記第１の回転位置と前記第２の回転位置との間で、前記記録媒体駆動装置の回転する範囲が、前記表示部の下端と上端との間に位置する位置に、前記軸が配置される、
ことを特徴とする。
【発明の効果】
【００１０】
本発明によれば、梱包サイズを小さくすることができる表示装置を提供することができる。
【図面の簡単な説明】
【００１１】
【図１】実施の形態１における表示装置の一部透視右側面図である。
【図２】図１の状態における表示装置の背面斜視図である。
【図３】実施の形態１における表示部とスタンドとの接続部を拡大して示す右側面図である。
【図４】実施の形態１における表示装置の一部透視右側面図である。
【図５】図４の状態における表示装置の背面斜視図である。
【図６】実施の形態１における表示装置の一部透視右側面図である。
【図７】図６の状態における表示装置の背面斜視図である。
【図８】図７の状態における表示装置の固定構造を拡大して示す一部破断背面斜視図である。
【図９】図２の状態における表示装置の固定構造を拡大して示す背面斜視図である。
【図１０】実施の形態１における表示装置が梱包された様子を示す一部透視右側面図である。
【図１１】実施の形態２における表示装置の一部透視右側面図である。
【図１２】実施の形態２における表示装置の一部透視右側面図である。
【図１３】実施の形態２における表示装置の正面斜視図である。
【図１４】実施の形態２における表示装置の正面斜視図である。
【図１５】実施の形態２における表示装置が梱包された様子を示す一部透視右側面図である。
【図１６】実施の形態２における表示装置の右側面図である。
【図１７】実施の形態２における表示装置の正面斜視図である。
【図１８】実施の形態２における表示装置の上面斜視図である。
【図１９】実施の形態３における表示装置の一部透視右側面図である。
【図２０】図１９の状態における表示装置の背面斜視図である。
【図２１】実施の形態３における表示部とスタンドとの接続部を拡大して示す右側面図である。
【図２２】実施の形態３における表示装置の一部透視右側面図である。
【図２３】図２２の状態における表示装置の背面斜視図である。
【図２４】実施の形態３における表示装置の一部透視右側面図である。
【図２５】図２４の状態における表示装置の背面斜視図である。
【図２６】図２５の状態における表示装置の固定構造を拡大して示す一部破断背面斜視図である。
【図２７】図２０の状態における表示装置の固定構造を拡大して示す背面斜視図である。
【図２８】実施の形態３における表示装置が梱包された様子を示す一部透視右側面図である。
【発明を実施するための形態】
【００１２】
以下、本発明の実施の形態を図面に従って説明する。
実施の形態１．
図１は、本実施の形態における表示装置１００の一部透視右側面図である。図２は、図１の状態における表示装置１００の背面斜視図である。表示装置１００は、画像を表示する装置であり、例えばテレビジョン放送を受信して表示するテレビ装置である。ただし、表示装置１００は、テレビ装置に限られず、例えばコンピュータの画面を表示するモニタであってもよい。表示装置１００は、表示部１とスタンド２とを備える。
【００１３】
表示部１は、画像を表示する表示面Ｓを有する。表示面Ｓは、左右方向および上下方向に広がる平面形状を有し、具体的には、左右方向の辺と上下方向の辺とを有する矩形形状を有する。表示部１は、薄型または平板状の形状を有する。具体的には、表示部１は、左右方向（幅方向）および上下方向（高さ方向）に長く、前後方向（奥行き方向）に薄い形状を有する。
【００１４】
ここで、本明細書において、「上」、「下」、「左」、「右」、「前」、「後」とは、それぞれ、表示面Ｓに向かって見たときの（具体的には、表示面Ｓを正面から見たときの）、上、下、左、右、前、後を意味する。図１では、紙面に垂直な方向が左右方向に対応し、紙面の上下方向が上下方向に対応し、紙面の左右方向が前後方向に対応する。
【００１５】
図１の例では、表示部１は、映像表示パネル２４、ベゼル３１、バックカバー３２、および回路基板２３を有する。
【００１６】
映像表示パネル２４は、例えば、液晶パネル、プラズマディスプレイパネル（ＰＤＰ）、有機ＥＬパネルであり、表示面Ｓを有する。
【００１７】
ベゼル３１は、映像表示パネル２４の前面側（正面側）の周囲を覆う枠状のカバーであり、バックカバー３２は、映像表示パネル２４の後面側（背面側）を覆うカバーである。
【００１８】
回路基板２３は、画像表示など、表示部１の動作を制御するものである。本例では、図２に示されるように、映像表示パネル２４の背面に、左右に１つずつ、２つの回路基板２３が取り付けられている。
【００１９】
バックカバー３２の背面には、後述する第１スタンドホルダ６０１を格納するための領域として、凹状の格納領域（窪み）１５０が設けられている。図２では、格納領域１５０は、左右に分割して取り付けられた２つの回路基板２３の間に形成されている。また、格納領域１５０は、例えば、バックカバー３２の背面と映像表示パネル２４の背面との間に設けられる。格納領域１５０の範囲は、例えば、第１スタンドホルダ６０１が回転して格納されるに必要な大きさに設定される。
【００２０】
スタンド２は、表示部１を台（または卓）上に立てた状態で支持するものであり、表示装置１００を台上に自立させるためのものである。具体的には、スタンド２は、表示部１を台上に垂直に配置した状態で支持する。スタンド２は、表示部１を台上に立てた状態で支持する状態において、表示面Ｓに向かって見て前後方向に延びる奥行きを有する。すなわち、スタンド２は、表示部１が前方または後方に転倒しないように、スタンド２の奥行き方向（表示部１の前後方向）に所定の長さを有する。本例では、スタンド２は、奥行き方向および幅方向（左右方向）に延びる薄板状の形状を有する。また、スタンド２は、表示部１を台上に立てた状態において台の設置面と対向または接触する底面（座面）２ｂを有する。
【００２１】
図１および図２は、表示部１がスタンド２により台上に立てられた状態を示している。この状態は、表示装置１００が台上（または卓上）で使用される状態であり、卓上使用状態または通常使用状態と言える。
【００２２】
以下、表示部１とスタンド２との接続について説明する。なお、本明細書において、「垂直」、「平行」とは、それぞれ、厳密な意味での垂直、平行に限定されるものではなく、略垂直、略平行を含む。
【００２３】
スタンド２は、表示部１に対し、表示面Ｓに向かって見て左右方向（または表示部１の左右方向）に平行な軸ＡＸ周りに回転可能に接続される。また、スタンド２は、スタンド２の奥行き方向（または底面２ｂの前後方向）に移動可能（または並進可能）に接続される。具体的には、表示装置１００は、表示部１とスタンド２とを接続する接続部６００を有し、この接続部６００は、スタンド２を、表示部１に対し、軸ＡＸ周りに回転可能に、かつスタンド２の奥行き方向に移動可能に接続する。軸ＡＸは、表示部１の下端と上端との間に位置する。
【００２４】
図３は、表示部１とスタンド２との接続部６００を拡大して示す右側面図である。図３において、接続部６００は、表示部１とスタンド２とを接続する接続部材である第１スタンドホルダ６０１を含む。この第１スタンドホルダ６０１は、表示部１に対し、軸ＡＸ周りに回転可能に接続される。具体的には、表示部１には、軸ＡＸを画定する左右一対の回転軸５ａ，５ｂが設けられており、第１スタンドホルダ６０１は、当該回転軸５ａ，５ｂに対して回転可能に接続される。
【００２５】
スタンド２は、第１スタンドホルダ６０１に対し、スタンド２の奥行き方向に移動可能に接続される。図３では、スタンド２には第２スタンドホルダ６０２が固定されており、この第２スタンドホルダ６０２が、第１スタンドホルダ６０１に対して、奥行き方向に移動可能に接続される。
【００２６】
以下、図１〜図３を参照して、接続部６００の構成をより詳しく説明する。
第１スタンドホルダ６０１は、右側面部６０１ａと、左側面部６０１ｂと、これらの上端同士を接続する上面部６０１ｃとを有する。上面部６０１ｃには、それぞれ回転軸５ａ，５ｂと回転可能に接続される左右一対のアーム６０１ｄ，６０１ｅが設けられている。具体的には、アーム６０１ｄ，６０１ｅのそれぞれの上端部には、左右方向に延びる孔が設けられており、アーム６０１ｄ，６０１ｅの孔に、それぞれ回転軸５ａ，５ｂが挿通される。右側面部６０１ａおよび左側面部６０１ｂには、それぞれスタンド２の奥行き方向に延びる（すなわち長手方向が奥行き方向と平行な）長孔７が設けられている。この長孔７は、スタンド２をスライドさせるためのものであり、スライド孔とも言える。
【００２７】
第２スタンドホルダ６０２は、右側面部６０２ａと、左側面部６０２ｂと、これらの下端同士を接続する底面部６０２ｃとを有する。右側面部６０２ａおよび左側面部６０２ｂは、それぞれ右側面部６０１ａおよび左側面部６０１ｂの左右方向外側に位置し、底面部６０２ｃは、上面部６０１ｃと対向するように第１スタンドホルダ６０１の下方に位置する。右側面部６０２ａおよび左側面部６０２ｂには、それぞれ、左右方向内向きに凸となるように、スタンド２の奥行き方向に間隔を空けて一対のスライド軸８ａ，８ｂが設けられている。
【００２８】
右側面部６０２ａのスライド軸８ａ，８ｂは、右側面部６０１ａの長孔７に挿入され、左側面部６０２ｂのスライド軸８ａ，８ｂは、左側面部６０１ｂの長孔７に挿入される。スライド軸８ａ，８ｂは、長孔７内を当該長孔７の長手方向に沿って移動することができ、これによりスタンド２が奥行き方向に移動可能になっている。
【００２９】
以下、図１〜図７を参照して、スタンド２の可動範囲および各状態における位置について説明する。
【００３０】
スタンド２は、スタンド２の奥行き方向が表示面Ｓに垂直となる第１の回転位置（図１参照）と、スタンド２の奥行き方向が表示面Ｓに平行となる第２の回転位置（図４および図６参照）との間で、軸ＡＸ周りに回転可能に構成される。第２の回転位置では、スタンド２は、表示部１の後方に位置する。また、スタンド２は、第１の回転位置においてスタンド２の奥行き方向手前側の端部２ｆが表示部１の前方に位置する第１の移動位置（図１参照）と、当該位置よりも奥行き方向奥側の第２の移動位置との間で、奥行き方向に移動可能に構成される。望ましくは、図６に示されるように、スタンド２が第２の回転位置かつ第２の移動位置にある場合、手前側の端部２ｆは、表示部１の下端と略同じか上方に位置する。
【００３１】
より詳しく説明すると、図１の卓上使用状態においては、表示部１を台上に垂直に配置するために、スタンド２は、表示部１に対して垂直となっている。すなわち、スタンド２の奥行き方向は、表示面Ｓ（または表示部１）に対して垂直になっている。また、卓上使用状態においては、表示部１の転倒を防止するために、スタンド２の奥行き方向手前側の端部２ｆは、表示部１の前方に位置しており、奥行き方向奥側の端部２ｒは、表示部１の後方に位置している。このとき、スタンド２のスライド位置は、奥行き方向手前側（図１では最も手前側）となっており、より奥側に移動可能になっている。
【００３２】
上記の状態から、スタンド２を軸ＡＸ周りに９０度回転させると、図４および図５に示される状態になる。この状態では、スタンド２は、表示面Ｓ（または表示部１）に対して平行になっている。すなわち、スタンド２の奥行き方向は、表示面Ｓに対し平行になっている。また、スタンド２は、表示部１の後方に位置している。スタンド２の奥行き方向手前側の端部２ｆは、表示部１の下端よりも下方に位置している。図４では、端部２ｆは、表示部１の下端よりも長さＡだけ下方に迫り出した位置にある。
【００３３】
上記の状態から、スタンド２を奥行き方向奥側（方向Ｖ）に移動させると、スタンド２の手前側端部２ｆの表示部１の下端からの迫り出しの長さが小さくなる。本例では、スタンド２は、奥行き方向奥側に少なくとも長さＡに相当する長さだけ移動可能に構成されている。具体的には、長孔７の長手方向の長さは、スライド軸８ａ，８ｂが少なくとも長さＡに相当する長さだけ移動できるように設定されている。したがって、スタンド２を奥行き方向奥側（方向Ｖ）に移動させることにより、例えば図６および図７に示される状態になる。この状態では、スタンド２の奥行き方向手前側の端部２ｆは、表示部１の下端と略同じか上方に位置している。そして、スタンド２およびスタンド２に係る構成要素（例えば第１スタンドホルダ６０１および第２スタンドホルダ６０２）は、表示部１の正面領域内（または表示部１の下端から上端までの範囲内）に、すべて収められている。すなわち、表示部１の正面から見た場合に、スタンド２およびスタンド２に係る構成要素は見えない。
【００３４】
さらに、表示装置１００は、スタンド２を表示部１に対して固定するための固定構造を有する。本例では、固定構造は、第１スタンドホルダ６０１および第２スタンドホルダ６０２を表示部１に固定するための構造を含む。
【００３５】
図８は、図７の状態における表示装置１００の固定構造を拡大して示す一部破断背面斜視図である。図９は、図２の状態における表示装置１００の固定構造を拡大して示す背面斜視図である。以下、図８および図９を参照して、第１スタンドホルダ６０１および第２スタンドホルダ６０２を表示部１に固定するための構造について具体的に説明する。
【００３６】
図８に示されるように、表示部１には、その下端近傍に左右一対の固定用雌ねじ孔１１ａ，１１ｂが形成されている。第１スタンドホルダ６０１において、右側面部６０１ａおよび左側面部６０１ｂには、それぞれ、スタンド２の奥行き方向に垂直なフランジ部６０１ｆおよび６０１ｇが設けられている。フランジ部６０１ｆ，６０１ｇには、それぞれ固定用雌ねじ孔１１ａ，１１ｂに対応する固定用貫通孔１２ａ，１２ｂが形成されている。第２スタンドホルダ６０２において、右側面部６０２ａおよび左側面部６０２ｂには、それぞれ、スタンド２の奥行き方向に垂直なフランジ部６０２ｆおよび６０２ｇが設けられている。フランジ部６０２ｆ，６０２ｇには、それぞれ固定用雌ねじ孔１１ａ，１１ｂに対応する固定用貫通孔１３ａ，１３ｂが形成されている。
【００３７】
図９に示されるように、卓上使用状態では、表示部１に設けられた固定用雌ねじ孔１１ａと、第１スタンドホルダ６０１に設けられた固定用貫通孔１２ａと、第２スタンドホルダ６０２に設けられた固定用貫通孔１３ａとのそれぞれの中心が同一軸線上に配置される。同様に、表示部１に設けられた固定用雌ねじ孔１１ｂと、第１スタンドホルダ６０１に設けられた固定用貫通孔１２ｂと、第２スタンドホルダ６０２に設けられた固定用貫通孔１３ｂとのそれぞれの中心が同一軸線上に配置される。固定用雌ねじ１１ａ，１１ｂのそれぞれに対応して、固定用雄ねじ１４ａ，１４ｂが用意される。固定用雄ねじ１４ａは、固定用貫通孔１３ａ，１２ａを通って固定用雌ねじ１１ａと結合し、固定用雄ねじ１４ｂは、固定用貫通孔１３ｂ，１２ｂを通って固定用雌ねじ１１ｂと結合する。これにより、第１スタンドホルダ６０１および第２スタンドホルダ６０２が表示部１に固定され、スタンド２が表示部１に固定される。
【００３８】
次に、表示装置１００を梱包する作業について説明する。
まず、作業者は、図１および図２に示される卓上使用状態から、スタンド２を軸ＡＸ周りに回転させ、図４および図５に示されるように、スタンド２の奥行き方向（または底面２ｂ）が表示面Ｓ（または表示部１）と平行な状態にする。このとき、第１スタンドホルダ６０１は、格納領域１５０に収まる。また、スタンド２の手前側の端部２ｆは、表示部１の下端よりも長さＡだけ下方に迫り出した位置にある。
【００３９】
ついで、図４および図５に示される状態から、スタンド２を奥行き方向奥側（上方向Ｖ）に移動させる。これにより、図６および図７に示されるように、スタンド２およびスタンド２に係る構成要素（例えば接続部６００）が、表示部１の正面領域内にすべて収まる。すなわち、表示部１を正面から見た場合に、スタンド２およびスタンド２に係る構成要素が見えない状態となる。
【００４０】
ついで、上記梱包用の状態（または折り畳み状態）となった表示装置１００を、図１０に示されるように、梱包箱２０に収納し、その四隅にクッション２１を配置する。
【００４１】
上記の作業は、具体的には、例えば次のように行われる。作業者は、表示面Ｓが台と平行に向き合い、スタンド２が台の端からはみ出すように、表示装置１００を台上に倒す。ついで、表示装置１００から固定用雄ねじ１４ａ，１４ｂを外し、スタンド２を回転およびスライドさせ、梱包用の状態にして、梱包箱２０に収納する。
【００４２】
なお、スタンド２の回転およびスライドの手順は、上記に限定されず、例えば上記と逆順であってもよい。
【００４３】
次に、表示装置１００を開梱して設置する作業について説明する。
まず、作業者は、図６および図７に示される梱包用の状態から、スタンド２を奥行き方向手前側に移動させ、図４および図５に示される状態にする。
【００４４】
ついで、図４および図５に示される状態から、スタンド２を軸ＡＸ周りに回転させ、図１および図２に示される卓上使用状態にする。
【００４５】
ついで、固定用雄ねじ１４ａ，１４ｂを取り付けて、スタンド２を表示部１に締結し固定する。この場合、ねじ留め操作は、表示部１の背面方向から行われることができ、高い作業性が提供される。
【００４６】
上記の作業は、具体的には、例えば次のように行われる。作業者は、梱包箱２０から表示装置１００を取り出す。そして、表示面Ｓが台と平行に向き合い、表示部１の下端と台の端とが一致するように、表示部１を台上に伏せて置く。ついで、スタンド２をスライドおよび回転させた後に、スタンド２を表示部１にねじ留めする。最後に、表示装置１００を回転させて起こし、スタンド２を台上に配置する。
【００４７】
なお、スタンド２の回転およびスライドの手順は、上記に限定されず、例えば上記と逆順であってもよい。
【００４８】
以上説明した本実施の形態によれば、下記（１）〜（７）の効果が得られ得る。
（１）本実施の形態では、スタンドは、表示部に対し、表示面に向かって見て左右方向に平行な軸周りに回転可能に、かつスタンドの奥行き方向に移動可能に接続される。本実施の形態によれば、梱包サイズを小さくすることができる。具体的には、スタンドを左右方向に平行な軸周りに回転させることにより、表示装置の前後方向のサイズを小さくすることができる。また、スタンドの回転に加えて、スタンドをスタンドの奥行き方向に移動させることにより、表示装置の上下方向のサイズを小さくすることができる。これにより、梱包箱のサイズ（または外寸）を小型化することができ、搬送コストや在庫管理における空間占有容積を低減することができる。また、特許文献１のように、表示部とスタンドとを切り離した状態で梱包する場合と比較して、組立作業による使用者への負担を抑えることができる。また、複雑な機構を必要としない単純な構造で実現される折り畳み式スタンドを提供することが可能となる。
【００４９】
（２）スタンドの回転軸は、表示部の下端と上端との間に位置する。本態様によれば、特許文献２，３のように回転軸が表示部の下端よりも下方に位置する場合と比較して、折り畳み後の表示装置の上下方向のサイズを小さくすることができ、梱包箱の上下方向のサイズを小さくすることができる。
【００５０】
（３）スタンドは、スタンドの奥行き方向が表示面に垂直となる第１の回転位置と、スタンドの奥行き方向が表示面に平行となる第２の回転位置との間で、上記軸周りに回転可能である。本態様によれば、スタンドを第１の回転位置から第２の回転位置に回転させることにより、スタンドを表示面に平行にすることができ、表示装置の前後方向のサイズ（奥行きサイズ）を小さくすることができ、梱包箱の前後方向のサイズを小さくすることができる。
【００５１】
（４）スタンドは、第２の回転位置において表示部の後方に位置する。本態様によれば、スタンドと表示部との接続部を表示部の後方に配置することができ、接続部が正面から見えないまたは目立たないようにすることができる。
【００５２】
（５）スタンドは、第２の回転位置において表示部の後方に位置する。さらに、スタンドは、第１の回転位置においてスタンドの奥行き方向手前側の端部が表示部の前方に位置する第１の移動位置と、当該第１の移動位置よりも奥行き方向奥側の第２の移動位置との間で、奥行き方向に移動可能である。本態様では、スタンドが第１の回転位置かつ第１の移動位置にある場合、スタンドの奥行き方向手前側の端部は表示部の前方に位置するので、表示部を垂直に立てた場合に、表示部の前方への転倒を防止することができる。また、本態様では、スタンドを第１の回転位置から第２の回転位置に回転させた場合、スタンドの奥行き方向手前側の端部は表示部の下端よりも下方に位置することになるが、スタンドを第１の移動位置から第２の移動位置に移動させることにより、スタンドの奥行き方向手前側の端部を上方に移動させることができる。これにより、表示装置の上下方向のサイズを小さくすることができ、梱包箱の上下方向のサイズを小さくすることができる。
【００５３】
（６）上記（５）の場合において、スタンドが第２の回転位置かつ第２の移動位置にある場合、スタンドの奥行き方向手前側の端部は、表示部の下端と略同じか上方に位置する。本態様によれば、表示部の下端からのスタンドの迫り出しを略または完全に無くすことができる。
【００５４】
（７）接続部は、表示部とスタンドとを接続する接続部材を含み、接続部材は、表示部に対し、上記軸周りに回転可能に接続され、スタンドは、接続部材に対し、スタンドの奥行き方向に移動可能に接続される。本態様によれば、簡易な構成により、スタンドを表示部に対し回転可能かつ移動可能に接続することができる。
【００５５】
実施の形態２．
図１１および図１２は、本実施の形態における表示装置２００の一部透視右側面図である。図１３および図１４は、本実施の形態における表示装置２００の正面斜視図である。上記実施の形態１における表示装置１００は、表示部１に対してスタンド２が回転および移動可能に構成されるものであったが、本実施の形態２における表示装置２００は、ディスクドライブ３を有し、このディスクドライブ３が表示部１に対して回転可能に構成されるものである。以下、本実施の形態における表示装置２００について説明するが、上記実施の形態１と同じまたは対応する部分については、同一の符号を付し、説明を省略または簡略化する。
【００５６】
スタンド２は、実施の形態１のものと略同様のものであるが、図１１では、表示部１に固定的に取り付けられている。具体的には、スタンド２には、スタンド２と表示部１との連結部材としてのスタンドホルダ６が固定される。このスタンドホルダ６は、図１２に示されるように、表示部１に対して左右一対の固定用雄ねじ１４ａ，１４ｂで締結され固定される。
【００５７】
図１１は、表示部１がスタンド２により台上に立てられている状態を示している。この状態は、表示装置２００が台上（または卓上）で使用される状態であり、卓上使用状態または通常使用状態と言える。
【００５８】
ディスクドライブ３は、可搬型の記録媒体であるディスク（例えば光ディスク）を駆動する装置であり、具体的にはディスクの再生または記録を行うものである。本例では、ディスクドライブ３は、広く市場で流通する汎用品である。
【００５９】
ディスクドライブ３は、ディスクが出し入れされる出し入れ口を有する。具体的には、ディスクドライブ３は、出し入れ口として、ディスクトレー４１を進退させるための開口を有する。この開口は、ディスクトレー４１が引き込まれた状態において、ディスクトレー４１の先端の面であるディスク挿入面４２により塞がれる。
【００６０】
また、ディスクドライブ３は、出し入れ口から入れられたディスクを収容することができるように、出し入れ口の背面側に延びる長手方向を有する。本例では、ディスクドライブ３は、ディスクトレー４１を収容することができるように、ディスクトレー４１の進退方向（またはディスクの出し入れ方向）に延びる長手方向を有する。具体的には、図１１に示されるように、ディスクドライブ３の長手方向を表示面Ｓに垂直に配置した状態において、ディスクドライブ３は、前後方向（奥行き方向）および左右方向（幅方向）に長く、上下方向（高さ方向）に薄い形状を有する。
【００６１】
ディスクドライブ３は、表示部１に対し、表示面Ｓに向かって見て左右方向（または表示部１の左右方向）に平行な軸ＡＸ周りに回転可能に接続される。軸ＡＸは、表示部１の下端と上端との間に位置する。
【００６２】
図１１の例では、表示装置２００は、ディスクドライブ３を保持する保持部材であるディスクドライブホルダ４ａ，４ｂを有する。ディスクドライブホルダ４ａ，４ｂは、ここではディスクドライブ３を両側面から挟持する左右一対の部材である。ディスクドライブホルダ４ａ，４ｂは、表示部１に対し、軸ＡＸ周りに回転可能に接続される。具体的には、表示部１には、軸ＡＸを画定する左右一対の回転軸５ａ，５ｂが設けられており、ディスクドライブホルダ４ａ，４ｂは、当該回転軸５ａ，５ｂに対して回転可能に接続される。具体的には、ディスクドライブホルダ４ａ，４ｂには、それぞれ左右方向に延びる孔が設けられており、ディスクドライブホルダ４ａ，４ｂの孔に、それぞれ回転軸５ａ，５ｂが挿通される。
【００６３】
以下、図１１〜図１４を参照して、ディスクドライブ３の可動範囲および各状態における位置について説明する。
【００６４】
ディスクドライブ３は、出し入れ口が表示面Ｓの前方を向く第１の装置回転位置（図１１参照）と、当該第１の装置回転位置よりもディスクドライブ３の長手方向が表示面Ｓと平行に近い第２の装置回転位置（図１２参照）との間で、軸ＡＸ周りに回転可能に構成される。本例では、第１の装置回転位置において、ディスクドライブ３の長手方向は表示面Ｓと垂直であり、第２の装置回転位置において、ディスクドライブ３の長手方向は表示面Ｓと平行である。また、第１の装置回転位置において、ディスクドライブ３は、ディスクの出し入れの際にディスクの記録面が上下方向を向くように配置される。また、第２の装置回転位置において、ディスクドライブ３は、表示部１の後方に位置する。さらに、第２の装置回転位置において、ディスクドライブ３は、表示部１の下端と上端との間に位置する。
【００６５】
より具体的に説明すると、卓上使用状態では、ディスクを表示面Ｓの前方からディスクドライブ３に出し入れできるように、ディスクドライブ３は、ディスクの出し入れ口（またはディスクの出し入れ側）が表示面Ｓの前方を向くように配置される。また、ディスクを台と平行な状態で出し入れできるように、ディスクドライブ３は、ディスクトレー４１が台と平行になるように配置される。具体的には、図１３および図１４に示されるように、表示部１の下方（ベゼル３１の下部）には、ディスクを挿入または抜き出すためのディスク挿入口１０が設けられる。卓上使用状態においては、ディスクドライブ３は、ディスクトレー４１のディスク挿入面４２と、ディスク挿入口１０とが対向するように配置される。例えば、ディスクドライブ３は、ディスク挿入面４２がディスク挿入口１０に対向して前方を向くように、表示面Ｓ（または表示部１）に対して垂直に配置される。すなわち、ディスクの出し入れ方向Ｂが表示面Ｓに対して垂直となるように配置される。
【００６６】
ディスクの挿入または抜出の際には、ディスクトレー４１が前方に進出し、この動作に伴いディスク挿入口１０が開き、図１４に示されるように、ディスクトレー４１に対するディスクの着脱が可能な状態になる。ディスクの着脱は、ディスクを台と平行な状態にして行われる。ディスクの着脱の後、ディスクトレー４１が後方に退避すると、この動作に伴いディスク挿入口１０が閉じる。したがって、使用者は、表示装置２００の正面から、通常のディスクプレーヤなどと同様の使い勝手でディスクを挿入または抜出することができる。
【００６７】
一方、ディスクドライブ３が第２の装置回転位置にある状態では、図１２に示されるように、ディスクドライブ３は、ディスクの出し入れ口（またはディスク挿入面４２）が下方を向き、表示面Ｓに対して平行となるように配置される。すなわち、ディスクドライブ３は、ディスクドライブ３の長手方向（またはディスクの出し入れ方向）が表示面Ｓに平行となるように配置される。
【００６８】
ここで、バックカバー３２の背面には、ディスクドライブ３を格納するための領域として凹状の格納領域（窪み）１５が設けられており、第２の装置回転位置において、ディスクドライブ３は格納領域１５に収まる。格納領域１５は、例えば、実施の形態１と同様に、左右に分割して取り付けられた回路基板２３の間に形成される。また、格納領域１５は、例えば、バックカバー３２の背面と映像表示パネル２４の背面との間に設けられる。格納領域１５の範囲は、例えば、ディスクドライブ３が回転して格納されるのに必要な大きさに設定される。
【００６９】
次に、表示装置２００を梱包する作業について説明する。
まず、作業者は、図１１に示される卓上使用状態から、スタンド２およびスタンドホルダ６を表示部１から取り外す。ついで、ディスクドライブ３を軸ＡＸ周りにディスク挿入面４２を下として略９０度回転させ、格納領域１５に収める。この際、ディスクドライブ３は、表示装置２００に設けられた固定構造または他の手段により、表示部１に固定されてもよい。
【００７０】
ついで、上記状態となった表示装置２００と、取り外されたスタンド２およびスタンドホルダ６とを、図１５に示されるように、梱包箱２０に収納し、その四隅にクッション２１を配置する。図１５では、取り外されたスタンド２およびスタンドホルダ６は、表示部１の背面側に配置されている。
【００７１】
なお、表示装置２００を開梱して設置する作業は、例えば上記と逆順の手順となる。卓上使用状態において、ディスクドライブ３は、表示装置２００に設けられた固定構造または他の手段により、表示部１に固定されてもよい。例えば、ディスクドライブホルダ４ａ，４ｂは、左右一対の固定用雄ねじ１４ａ，１４ｂにより、スタンドホルダ６とともに表示部１に固定されてもよい。
【００７２】
次に、本実施の形態２における表示装置２００が壁掛け設置される場合について、図１６および図１７を参照して説明する。壁掛け設置時には、表示装置２００は、壁Ｗに設けられた壁掛け用の部材７０により、表示面Ｓが垂直または壁Ｗと平行となるように壁Ｗに掛けられる。この場合、スタンド２およびスタンドホルダ６は表示部１から取り外され、ディスクドライブ３はディスク挿入面４２が下向きとなる位置（第２の装置回転位置）で固定される。この状態で、使用者が、図示しない操作部（例えばリモコンや表示装置２００に設けられたボタン）を操作することによってイジェクト操作を行うと、図１７に示されるように、ディスクトレー４１が表示部１の下方に延出する。この状態において、使用者は、表示装置２００の正面から、ディスクを表示面Ｓに対して平行にした状態で、ディスクトレー４１にディスクをセットする。その後、使用者が、操作部を操作することによって引き込み操作を行うと、ディスクトレー４１が引き込まれ、ディスクドライブ３内にディスクが取り込まれる。
【００７３】
次に、本実施の形態２における表示装置２００を工場で調整する場合について、図１８を参照して説明する。工場調整時においては、表示装置２００は、表示面Ｓが表向きになるように、製造ライン上の搬送用パレット４３に寝かされるように設置される。この場合、スタンド２およびスタンドホルダ６は表示部１から取り外され、ディスクドライブ３は、表示面Ｓと平行になる位置（第２の装置回転位置）で固定される。この状態で、表示装置２００の調整や動作確認が実施可能である。したがって、スタンドなど、表示部１を垂直に保持するための保持部品を用いることなく、表示装置２００の調整や動作確認を行うことが可能である。
【００７４】
以上説明した本実施の形態によれば、下記（８）〜（１４）の効果が得られ得る。
（８）本実施の形態では、ディスクドライブは、表示部に対し、表示面に向かって見て左右方向に平行な軸周りに回転可能に接続され、ディスクの出し入れ口が表示面の前方を向く第１の装置回転位置と、当該第１の装置回転位置よりもディスクドライブの長手方向が表示面と平行に近い第２の装置回転位置との間で回転可能である。本実施の形態によれば、梱包サイズを小さくすることができる。具体的には、第１の装置回転位置では、出し入れ口が表示面の前方を向くので、ディスクを表示面の前方から出し入れすることが可能である。そして、ディスクドライブを第１の装置回転位置から第２の装置回転位置に回転させることにより、表示装置の前後方向のサイズを小さくすることができ、梱包箱の前後方向のサイズを小型化することができる。具体的には、上記ディスクドライブの折り畳み構造によって、表示装置の前方からディスクの挿入、取り出しが可能なディスクドライブ内蔵の表示装置の梱包サイズを小型化することができる。これにより、ディスクドライブ内蔵の表示装置の搬送コストや在庫管理における空間占有容積を低減できる。
【００７５】
（９）ディスクドライブの回転軸は、表示部の下端と上端との間に位置する。本態様によれば、回転軸が表示部の下端よりも下方に位置する場合と比較して、折り畳み後の表示装置の上下方向のサイズを小さくすることができ、梱包箱の上下方向のサイズを小さくすることができる。
【００７６】
（１０）第２の装置回転位置において、ディスクドライブの長手方向が表示面と平行である。本態様によれば、第１の装置回転位置から第２の装置回転位置に回転させることにより、ディスクドライブの長手方向を表示面に平行にすることができる。これにより、ディスクドライブの前後方向への迫り出しを小さくすることができ、表示装置の前後方向のサイズを小さくすることができ、梱包箱の前後方向のサイズを小さくすることができる。
【００７７】
（１１）ディスクドライブは、第２の装置回転位置において表示部の後方に位置する。本態様によれば、ディスクドライブと表示部との接続部を表示部の後方に配置することができ、接続部が正面から見えないまたは目立たないようにすることができる。
【００７８】
（１２）ディスクドライブは、第２の装置回転位置において表示部の下端と上端との間に位置する。本態様によれば、ディスクドライブが表示部の下端または上端から迫り出す場合と比較して、表示装置の上下方向のサイズを小さくすることができ、梱包箱の上下方向のサイズを小さくすることができる。
【００７９】
（１３）卓上設置時には表示装置の前方からディスクの出し入れを可能とし、壁掛け設置時には、表示装置を壁面から大きく突出することなく設置し、表示装置の下側からディスクの出し入れを可能とする表示装置を提供することができる。
【００８０】
（１４）工場での表示装置の調整工程においては、スタンドを取り付けることなく、表示装置を調整台（例えば搬送用パレット）に寝かせたままで、表示面上の画面を見ながらの調整や、ディスクドライブの動作確認を行うことができる。
【００８１】
実施の形態３．
図１９は、本実施の形態３における表示装置３００の一部透視右側面図である。図２０は、図１９の状態における表示装置３００の背面斜視図である。本実施の形態３における表示装置３００は、実施の形態１と同様に、表示部１に対してスタンド２が回転および移動可能に構成され、さらに実施の形態２と同様に、ディスクドライブ３が表示部１に対して回転可能に構成されるものである。以下、本実施の形態における表示装置３００について説明するが、上記実施の形態１または２と同じまたは対応する部分については、同一の符号を付し、説明を省略または簡略化する。
【００８２】
図１９および図２０は、表示部１がスタンド２により台上に立てられている状態を示している。この状態は、表示装置３００が台上（または卓上）で使用される状態であり、卓上使用状態または通常使用状態と言える。
【００８３】
スタンド２は、実施の形態１と同様のものであり、実施の形態１と同様に、表示部１に対し、軸ＡＸ周りに回転可能に、かつスタンド２の奥行き方向に移動可能に接続される。
【００８４】
ディスクドライブ３は、実施の形態２と同様のものであり、実施の形態２と同様に、表示部１に対し、軸ＡＸ周りに回転可能に接続される。
【００８５】
スタンド２とディスクドライブ３とは、別々に回転するように構成されてもよいが、本例では、表示装置３００は、スタンド２と共にディスクドライブ３も併せて回転するように構成される。具体的には、スタンド２は、ディスクドライブ３に対し、スタンド２の奥行き方向に移動可能に接続され、ディスクドライブ３とともに軸ＡＸ周りに回転するように構成される。
【００８６】
図２１は、本実施の形態における表示部１とスタンド２との接続部６００を拡大して示す右側面図である。本例では、接続部６００は、ディスクドライブ３を保持する保持部材であるディスクドライブホルダ４ａ，４ｂを含む。ディスクドライブホルダ４ａ，４ｂは、ここではディスクドライブ３を両側面から挟持する左右一対の部材である。ディスクドライブホルダ４ａ，４ｂは、表示部１に対し、軸ＡＸ周りに回転可能に接続される。具体的には、表示部１には、軸ＡＸを画定する左右一対の回転軸５ａ，５ｂが設けられており、ディスクドライブホルダ４ａ，４ｂは、当該回転軸５ａ，５ｂに対して回転可能に接続される。
【００８７】
スタンド２は、ディスクドライブホルダ４ａ，４ｂに対し、スタンド２の奥行き方向に移動可能に接続される。図２１では、スタンド２にはスタンドホルダ６０３が固定されており、このスタンドホルダ６０３が、ディスクホルダ４ａ，４ｂに対して、奥行き方向に移動可能に接続される。
【００８８】
より具体的には、ディスクドライブホルダ４ａ，４ｂには、それぞれスタンド２の奥行き方向に延びる（すなわち長手方向が奥行き方向と平行な）長孔７が設けられている。この長孔７は、スタンド２をスライドさせるためのものであり、スライド孔とも言える。
【００８９】
スタンドホルダ６０３は、実施の形態１における第２スタンドホルダ６０２と略同様のものであり、右側面部６０３ａと、左側面部６０３ｂと、底面部６０３ｃとを有する。右側面部６０３ａおよび左側面部６０３ｂは、それぞれディスクドライブホルダ４ａおよび４ｂの左右方向外側に位置し、底面部６０３ｃは、ディスクドライブ３の下方に位置する。右側面部６０３ａおよび左側面部６０３ｂには、それぞれ、左右方向内向きに凸となるように、スタンド２の奥行き方向に間隔を空けて一対のスライド軸８ａ，８ｂが設けられている。
【００９０】
右側面部６０３ａのスライド軸８ａ，８ｂは、ディスクドライブホルダ４ａの長孔７に挿入され、左側面部６０３ｂのスライド軸８ａ，８ｂは、ディスクドライブホルダ４ｂの長孔７に挿入される。スライド軸８ａ，８ｂは、長孔７内を当該長孔７の長手方向に沿って移動することができ、これにより、スタンド２は、ディスクドライブ３に対して平行位置を維持し続けた状態で、奥行き方向に移動することができる。
【００９１】
以下、図１９〜図２５を参照して、スタンド２およびディスクドライブ３の、可動範囲および各状態における位置について説明する。
【００９２】
スタンド２は、実施の形態１と同様に、第１の回転位置（図１９および図２０参照）と、第２の回転位置（図２２〜図２５参照）との間で、軸ＡＸ周りに回転可能に構成される。また、スタンド２は、実施の形態１と同様に、第１の移動位置（図２２および図２３参照）と、第２の移動位置（図２４および図２５参照）との間で、奥行き方向に移動可能に構成される。
【００９３】
ディスクドライブ３は、実施の形態２と同様に、第１の装置回転位置（図１９および図２０参照）と、第２の装置回転位置（図２２〜図２５参照）との間で、軸ＡＸ周りに回転可能に構成される。
【００９４】
このように、スタンド２の可動範囲および各状態における位置は、実施の形態１と同様であり、ディスクドライブ３の可動範囲および各状態における位置は、実施の形態２と同様である。
【００９５】
表示装置３００は、スタンド２およびディスクドライブ３を表示部１に対して固定するための固定構造を有する。本例では、固定構造は、ディスクドライブホルダ４ａ，４ｂおよびスタンドホルダ６０３を表示部１に固定するための構造を含む。
【００９６】
図２６は、図２５の状態における表示装置３００の固定構造を拡大して示す一部破断背面斜視図である。図２７は、図２０の状態における表示装置３００の固定構造を拡大して示す背面斜視図である。以下、図２６および図２７を参照して、ディスクドライブホルダ４ａ，４ｂおよびスタンドホルダ６０３を表示部１に固定するための構造について具体的に説明する。
【００９７】
図２６に示されるように、表示部１には、その下端近傍に左右一対の固定用雌ねじ孔１１ａ，１１ｂが形成されている。ディスクドライブホルダ４ａ，４ｂには、それぞれ、スタンド２の奥行き方向に垂直なフランジ部４ｆ，４ｇが設けられている。フランジ部４ｆ，４ｇには、それぞれ固定用雌ねじ孔１１ａ，１１ｂに対応する固定用貫通孔１２ａ，１２ｂが形成されている。スタンドホルダ６０３において、右側面部６０３ａおよび左側面部６０３ｂには、それぞれ、スタンド２の奥行き方向に垂直なフランジ部６０３ｆおよび６０３ｇが設けられている。フランジ部６０３ｆ，６０３ｇには、それぞれ固定用雌ねじ孔１１ａ，１１ｂに対応する固定用貫通孔１３ａ，１３ｂが形成されている。
【００９８】
図２７に示されるように、卓上使用状態では、表示部１に設けられた固定用雌ねじ孔１１ａと、ディスクドライブホルダ４ａに設けられた固定用貫通孔１２ａと、スタンドホルダ６０３に設けられた固定用貫通孔１３ａとのそれぞれの中心が同一軸線上に配置される。同様に、表示部１に設けられた固定用雌ねじ孔１１ｂと、ディスクドライブホルダ４ｂに設けられた固定用貫通孔１２ｂと、スタンドホルダ６０３に設けられた固定用貫通孔１３ｂとのそれぞれの中心が同一軸線上に配置される。固定用雌ねじ１１ａ，１１ｂのそれぞれに対応して、固定用雄ねじ１４ａ，１４ｂが用意される。固定用雄ねじ１４ａは、固定用貫通孔１３ａ，１２ａを通って固定用雌ねじ１１ａと結合し、固定用雄ねじ１４ｂは、固定用貫通孔１３ｂ，１２ｂを通って固定用雌ねじ１１ｂと結合する。これにより、ディスクドライブホルダ４ａ，４ｂおよびスタンドホルダ６０３が表示部１に固定され、スタンド２およびディスクドライブ３が表示部１に固定される。
【００９９】
次に、表示装置３００を梱包する作業について説明する。
まず、作業者は、図１９および図２０に示される卓上使用状態から、スタンド２を軸ＡＸ周りに左９０度回転させる。これにより、図２２および図２３に示されるように、ディスクドライブ３およびディスクドライブホルダ４ａ，４ｂは格納領域１５へ格納され、ディスクドライブ３およびスタンド２は表示部１に対して平行位置をとる。このとき、スタンド２の手前側端部２ｆは、表示部１の下端よりも長さＡだけ迫り出した位置にある。
【０１００】
ついで、図２２および図２３に示される状態から、スタンド２を奥行き方向奥側（方向Ｖ）に移動させる。これにより、図２４および図２５に示されるように、スタンド２およびスタンド２に係る構成要素（例えば接続部６００）が、表示部１の正面領域内にすべて収まる。すなわち、表示部１を正面から見た場合に、スタンド２およびスタンド２に係る構成要素が見えない状態となる。
【０１０１】
ついで、上記梱包用の状態となった表示装置３００を、図２８に示されるように、梱包箱２０に収納し、その四隅にクッション２１を配置する。
【０１０２】
上記の作業は、具体的には、例えば次のように行われる。作業者は、表示面Ｓが台と平行に向き合い、スタンド２が台の端からはみ出すように、表示装置３００を台上に倒す。ついで、表示装置３００から固定用雄ねじ１４ａ，１４ｂを外し、スタンド２を回転およびスライドさせ、梱包用の状態にして、梱包箱２０に収納する。
【０１０３】
なお、スタンド２の回転およびスライドの手順は、上記に限定されず、例えば上記と逆順であってもよい。
【０１０４】
次に、表示装置３００を開梱して設置する作業について説明する。
まず、作業者は、図２４および図２５に示される梱包用の状態から、スタンド２を奥行き方向手前側に移動させ、図２２および図２３に示される状態にする。
【０１０５】
ついで、図２２および図２３に示される状態から、スタンド２を軸ＡＸ周りに回転させ、図１９および図２０に示される卓上使用状態にする。
【０１０６】
ついで、固定用雄ねじ１４ａ，１４ｂを取り付けて、スタンド２およびディスクドライブ３を表示部１に締結し固定する。この場合、ねじ留め操作は、表示部１の背面方向から行われることができ、高い作業性が提供される。
【０１０７】
上記の作業は、具体的には、例えば次のように行われる。作業者は、梱包箱２０から表示装置３００を取り出す。そして、表示面Ｓが台と平行に向き合い、表示部１の下端と台の端とが一致するように、表示部１を台上に伏せて置く。ついで、スタンド２をスライドおよび回転させた後に、スタンド２およびディスクドライブ３を表示部１にねじ留めする。最後に、表示装置３００を回転させて起こし、スタンド２を台上に配置する。
【０１０８】
なお、スタンド２の回転およびスライドの手順は、上記に限定されず、例えば上記と逆順であってもよい。
【０１０９】
以上説明した本実施の形態によれば、上記実施の形態１および２の効果の他に、下記（１５）〜（１６）の効果が得られ得る。
（１５）スタンドは、ディスクドライブに対し、スタンドの奥行き方向に移動可能に接続され、ディスクドライブとともに回転する。本態様によれば、ディスクドライブが表示部に対して回転可能に接続される構成において、簡易な構成により、スタンドを表示部に対し回転可能かつ移動可能に接続することができる。また、スタンドはディスクドライブに対して奥行き方向に移動可能に構成されるので、スタンドおよびディスクドライブがともに表示部に対して奥行き方向に移動するよう構成する場合と比較して、ディスクドライブを格納するための格納領域の大きさを小さく（例えば最小に）することができる。
【０１１０】
（１６）接続部は、ディスクドライブを保持する保持部材を備え、当該保持部材は、表示部に対し、上記軸周りに回転可能に接続され、スタンドは、当該保持部材に対し、スタンドの奥行き方向に移動可能に接続される。本態様によれば、ディスクドライブの保持部材をスタンドの接続部材としても利用することができ、簡易な構成により、スタンドを表示部に対し回転可能かつ移動可能に接続することができる。
【０１１１】
なお、本発明は、上記実施の形態に限定されるものではなく、本発明の要旨を逸脱しない範囲内において種々の態様で実施することができる。
【０１１２】
例えば、実施の形態１〜３では、表示部１側に回転軸５ａ，５ｂを設け、スタンドホルダ（またはディスクドライブホルダ）側に回転軸に対応する孔を設ける構成を例示したが、これに限らず、表示部１側に孔を設け、スタンドホルダ（またはディスクドライブホルダ）側に回転軸を設けてもよい。
【０１１３】
また、実施の形態１〜３では、左右一対の回転軸５ａ，５ｂを設ける構成を例示したが、１本の長い回転軸を用いてもよい。
【０１１４】
また、実施の形態１，３では、スタンドホルダのスライド軸８ａ，８ｂを案内するために長孔７を設ける構成を例示したが、長孔７の代わりに、スライド軸８ａ，８ｂを案内するためのスライド溝を設けてもよい。
【０１１５】
また、実施の形態２，３では、ディスクドライブ３として汎用品を用い、その表示部１への取り付けに際して、別部品であるディスクドライブホルダ４ａ，４ｂを用いる構成を例示したが、ディスクドライブ３として専用のものを用意し、ディスクドライブ３に回転軸または回転軸に対応する孔を設け、ディスクドライブホルダ４ａ，４ｂを省略してもよい。
【０１１６】
また、実施の形態３では、スタンドの回転軸とディスクドライブの回転軸とが互いに同じである場合を例示したが、両者の回転軸は互いに異なっていてもよい。
【０１１７】
また、実施の形態２，３では、記録媒体駆動装置としてディスクを駆動するディスクドライブを例示したが、記録媒体駆動装置は、ディスク以外の可搬型の記録媒体を駆動する装置であってもよい。
【符号の説明】
【０１１８】
１  表示部、  ２  スタンド、  ３  ディスクドライブ、  ４ａ，４ｂ  ディスクドライブホルダ、  ５ａ，５ｂ  回転軸、  ６００  接続部、  ６，６０３  スタンドホルダ、  ６０１  第１スタンドホルダ、  ６０２  第２スタンドホルダ、  ７  長孔、  ８ａ，８ｂ  スライド軸、  １０  ディスク挿入口、  １１ａ，１１ｂ  固定用雌ねじ孔、  １２ａ，１２ｂ，１３ａ，１３ｂ  固定用貫通孔、  １４ａ，１４ｂ  固定用雄ねじ、  １５，１５０  格納領域、  ２０  梱包箱、  ２１  クッション、  ２３  回路基板、  ２４  映像表示パネル、  ３１  ベゼル、  ３２  バックカバー、  ４１  ディスクトレー、  ４２  ディスク挿入面、  ４３  搬送用パレット、  １００，２００，３００  表示装置。
【図１】
0005819102.tif 000002
【図２】
0005819102.tif 000003
【図３】
0005819102.tif 000004
【図４】
0005819102.tif 000005
【図５】
0005819102.tif 000006
【図６】
0005819102.tif 000007
【図７】
0005819102.tif 000008
【図８】
0005819102.tif 000009
【図９】
0005819102.tif 000010
【図１０】
0005819102.tif 000011
【図１１】
0005819102.tif 000012
【図１２】
0005819102.tif 000013
【図１３】
0005819102.tif 000014
【図１４】
0005819102.tif 000015
【図１５】
0005819102.tif 000016
【図１６】
0005819102.tif 000017
【図１７】
0005819102.tif 000018
【図１８】
0005819102.tif 000019
【図１９】
0005819102.tif 000020
【図２０】
0005819102.tif 000021
【図２１】
0005819102.tif 000022
【図２２】
0005819102.tif 000023
【図２３】
0005819102.tif 000024
【図２４】
0005819102.tif 000025
【図２５】
0005819102.tif 000026
【図２６】
0005819102.tif 000027
【図２７】
0005819102.tif 000028
【図２８】
0005819102.tif 000029